(57)【要約】【課題】シートバックフレームの後倒に自動的に追従し得る車椅子のサイドガードを提供する。【解決手段】シートバック５が着座部４と揃う方向へ後倒可能な車椅子に対して、着座部４及びその上方に位置するアームレスト７間に配置されるサイドガード３０のサイドガード本体３０ａが、着座部４に沿った底辺部３１、シートバック５に沿った立上げ辺部３２及び斜辺部３３を有する三角形状の伸縮性のネット３４で構成されると共に、底辺部３１は着座部４の側面に取付けられ、立上げ辺部３２はシートバック５に取付けられる。これにより、リクライニング又はスタンドアップ時に、ネット３４は、底辺部３１が着座部４の側面に保持された状態で伸びることによりシートバック５の後倒に連動する。【選択図】　　　　　図１
2004105243.tif 000002
【特許請求の範囲】
【請求項１】
着座部の背後に位置するシートバックが着座部と揃う方向へ傾倒可能な車椅子に対して、着座部及びその上方に位置するアームレスト間に配置する車椅子のサイドガードにおいて、
サイドガード本体が、着座部に沿った底辺部、シートバックに沿った立上げ辺部及び斜辺部を有する三角形状の伸縮性のネットで構成されると共に、前記底辺部は前記着座部の側面に取付けられ、前記立上げ辺部は前記シートバックに取付けられたことを特徴とする車椅子のサイドガード。
【請求項２】
底辺部は着座部の側面に着脱自在に取付けられ、立上げ辺部はシートバックに着脱自在に取付けられたことを特徴とする請求項１記載の車椅子のサイドガード。
【請求項３】
着座部の背後に位置するシートバックが着座部と揃う方向へ後倒可能な車椅子に対して、着座部及びその上方に位置するアームレスト間に配置する車椅子のサイドガードにおいて、
サイドガード本体が、着座部に沿った底辺部、シートバックに沿った立上げ辺部及び斜辺部を有する三角形状のネットで構成されると共に、前記底辺部は前記着座部の側面に取付けられ、前記立上げ辺部は、この立上げ辺部よりも上方に位置する前記シートバック側部に上端が取付けられたゴム紐で支持されたことを特徴とする車椅子のサイドガード。
【請求項４】
ゴム紐が、立上げ辺部に形成された袋部に挿通されると共に、前記ゴム紐の下端が前記立上げ辺部の下端部に取付けられたことを特徴とする請求項３記載の車椅子のサイドガード。
【請求項５】
底辺部は着座部の側面に着脱自在に取付けられ、ゴム紐の上端がシートバック側部にフックで係止されたことを特徴とする請求項３又は請求項４記載の車椅子のサイドガード。
【発明の詳細な説明】
【０００１】
【発明の属する技術分野】
本発明は、着座部と、その上方に位置するアームレストとの間に設けられる車椅子のサイドガードに関するものである。
【０００２】
【従来の技術】
この種のサイドガードとしては、着座部及びアームレスト間にプレート或いは布製のサイドガードを取付けたり、或いはサイドガードが一体化されたパイプ状アームレストを着座部の前後のパイプに上方から差込可能にしたのもが周知である。
【０００３】
【発明が解決しようとする課題】
これにより、座位を保持したり、或いは小物の落下を防止できるが、前者では通風等のためにサイドガード本体を開放することはできず、また側方から移乗する場合に後方の逃げ位置に回動させることができない。後者の場合、サイドガード本体を上方へ抜くことにより移乗が可能になるが、抜差し操作が面倒である。
【０００４】
そこで、本出願人は、特願２００２−９４３５８により、アームレストに、サイドガード本体を自動的に巻取る巻取り器を設けると共に、着座部の側部に、巻取り器から引出したサイドガード本体の下端を離脱操作可能に係止する係止具を設けた車椅子のサイドガードを提案した。
【０００５】
これにより、サイドガードを簡単な操作により容易に開放することができるが、いずれにしてもリクライニング又はスタンドアップ時にサイドガードの開放操作を要するのが前提である。
【０００６】
本発明は、このような点に鑑みて、シートバックフレームの後倒に自動的に追従し得る車椅子のサイドガードを提供することを目的とする。
【０００７】
【課題を解決するための手段】
本発明は、この目的を達成するために、請求項１により、着座部の背後に位置するシートバックが着座部と揃う方向へ後倒可能な車椅子に対して、着座部及びその上方に位置するアームレスト間に配置する車椅子のサイドガードにおいて、サイドガード本体が、着座部に沿った底辺部、シートバックに沿った立上げ辺部及び斜辺部を有する三角形状の伸縮性のネットで構成されると共に、底辺部は着座部の側面に取付けられ、立上げ辺部はシートバックに取付けられたことを特徴とする。これにより、リクライニング又はスタンドアップ時に、ネットは、底辺部が着座部の側面に保持された状態で伸びることによりシートバックの後倒に連動する。
【０００８】
また、シートバックの後倒に連動するネットの伸びを抑制するためには、請求項３により、着座部の背後に位置するシートバックが着座部と揃う方向へ傾倒可能な車椅子に対して、着座部及びその上方に位置するアームレスト間に配置される車椅子のサイドガードにおいて、サイドガード本体が、着座部に沿った底辺部、シートバックに沿った立上げ辺部及び斜辺部を有する三角形状のネットで構成されると共に、底辺部は着座部の側面に取付けられ、立上げ辺部は、立上げ辺部よりも上方に位置するシートバック側部に上端が取付けられたゴム紐で支持されるように構成する。ゴム紐は、立上げ辺部の上端部に取付けることもできるが、請求項４により、ゴム紐が、立上げ辺部に形成された袋部に挿通されると共に、ゴム紐の下端が立上げ辺部の下端部に取付けられることにより、所定の伸び量に対してゴム紐の伸び率を抑制することができる。
【０００９】
【発明の実施の形態】
図１乃至図４を基に本発明の実施の形態による電動車椅子のサイドガードを説明する。本体フレーム１ａには、モータ駆動される後輪１及び前輪２が設けられ、本体フレーム１ａのシャフト１ｂに着座部４が支持されている。着座部４の背後にはシートバック５が設けられ、前方にはフットレスト９が設けられている。
シートバック５は、ヘッドレスト６付きのシートバックフレーム５ａの前側にシートバック本体１０を配置して構成されると共に、このシートバック本体は、周囲の前方へわん曲した周辺フレーム１１及び上下２本の後方へわん曲した横断フレーム１２に柔軟性を与えるネット１３を張ることにより構成されている。着座部４の両側部間を横断する横断フレームに取付けられたヒンジブラケット１９には、シートバックフレーム５ａの基端部に設けられた連結部材８がピン８ａで回転自在に支持されている。
【００１０】
また、シートバックフレーム５ａにはレバー５ｂが突設され、着座部４に基端部が枢着されたシートバック用パワーシリンダ２０のシリンダロッドの先端部が枢着されている。このシリンダロッドが短縮されることによりシートバックフレーム５ａはリクライニング又はスタンドアップのために後倒する。その際、フットレストアーム９ａ及び着座部４間に装着されたフットレスト用パワーシリンダ２１のシリンダロッドが伸びることにより、フットレストアーム９ａは着座部４に揃う方向へ回動させられる。
【００１１】
シートバック５及びフットレストアーム９ａが、着座部４に対して略一直線状に上向きになるスタンドアップ時には、シートバック用パワーシリンダ２０による後倒に加えて、本体フレーム１ａ及び前輪アーム２ａ間に装着された両側２個のパワーシリンダ２２のシリンダロッドが伸びることにより前輪２が後輪１に接近すると共に、本体フレーム１ａ及び着座部４間に装着されたチルト用シリンダ２３のシリンダロッドが縮むことにより着座部４が斜め上向き位置に回動し、さらにフットレスト用パワーシリンダ２１のシリンダロッドも伸びる。
【００１２】
ヒンジブラケット１９の上端部には、ピン８ａの上方の僅かに前方を枢着位置とするように、両側の周辺フレーム１１の基端部に突設されたピン１１ａが回転自在に支持され、その枢着軸線は着座部４の上面に対して僅かに下方位置を占めている。さらに、上側の横断フレーム１２に対面するシートバックフレーム５ａの両側には、上下方向のスライドレール１７が前方へ向けて突設されると共に、横断フレーム１２には、ガイド部材１６が取付けられることにより、周辺フレーム１１をシートバックフレーム５ａに連結させてスライドさせてスライド可能にしている。
【００１３】
これにより、パワーシリンダ２０が後退駆動されると、シートバックフレーム５ａは水平方向位置に回動すると共に、シートバック本体１０も連動する。その際、このシートバック本体は、シートバックフレーム５ａのピン８ａによる枢着軸線に対して僅かに上前方に位置することにより、着座者の腰の回転軸線に近い位置の枢着軸線を中心に、スライドレール１７をガイド部材１６に対して相対的に後方へスライドさせつつ回動し、したがって仰臥位置への傾倒時に背中が引張られたり、通常姿勢への復帰時に腹部が圧迫されることがなくなり、臀部の位置調整も不要にしている。
【００１４】
両側のアームレスト７は、その支持フレーム７ａをシートバックフレーム５ａに昇降可能に支持させることにより、高さ位置が調整可能になっている。このアームレスト及び着座部４間にセットされるサイドガード３０は、図２に示すように、布製の底辺部３１、略垂直の立上がり辺部３２及び斜辺部３３とより直角三角形状に形成され、その内部空間部に三角形状のネット３４が設けられたサイドガード本体３０ａに、立上がり辺部３２に形成された袋部３７に挿通される丸ゴム状のゴム紐３８を付属させて構成されている。袋部３７から突出して延長されているゴム紐３８の上端部には、スライドレール１７に係止されるフック３９が取付けられ、下端部は袋部３７の下端部に取付けられている。底辺部３１には、着座部４の側面４ａに取付けられた相手方の面ファスナに着脱自在に面係合する面ファスナ３５が取付けられている。立上がり辺部３２には、シートバック本体１０の周辺フレーム１１及びその近辺のネット１３部分に取付けられた相手方の面ファスナに面係合する面ファスナ３６が取付けられている。
【００１５】
このように構成された車椅子のサイドガード３０の動作は次の通りである。通常状態で、このサイドガードは、着座部４及びシートバック本体１０に面ファスナ３５，３６により保持されると共に、ゴム紐３８がフック３９でアームレスト７の上方のスライドレール１７に引張り緊張状態で係止されることにより、図１及び図３に示すように、アームレスト７及び着座部４間の後方領域に三角形状にセットされる。
【００１６】
着座部４の反対側の側部にも同様にサイドガード３０を取付けることができる。この状態で、着座者の大腿部及びサイドガード３０間に、図３に示すように、例えばバッグ４０を置くことができる。幅狭で表面が平坦なバッグに限らず、横幅が多少広くなったり、或いは突出部分を有する物でもネット３４を撓ませて置くことができる。また、このようなネットにより、通風性も確保できる。アームレスト７は、サイドガード３０と独立に高さ位置を調整できる。
【００１７】
図４に示すように、スタンドアップさせる場合には、シートバックフレーム５ａの傾倒により斜辺部３３及び立上がり辺部３２が引張られるのを回避するために、面ファスナ３６を外した状態で、スタンドアップ作動を行わせる。連動してゴム紐３８は、袋部３７に引張られてシートバック５に追従して後方へ回動する。その際、袋部３７に挿通されている部分を含めて全体長が長くなることにより無理なく伸びると共に、ゴム紐３８だけ伸びてサイドガード本体３０ａに過大な引張り力を加えない状態で、サイドガード本体３０ａを保持することができる。
【００１８】
サイドガード３０は、その底辺部３１が着座部４の側面４ａに面ファスナ３５で取付けられると共に、立上がり辺部３２がゴム紐３８によりシートバックフレーム５ａに沿って後倒することにより、隙間を殆ど生じさせること無く撓むことになり、バッグ４０或いはその外の小物であってもそのまま保持することができる。
【００１９】
着座部４の通常状態でリクライニングのためにシートバックフレーム５ａを後倒させる場合も、同様にサイドガード本体３０ａを底辺部３１及びゴム紐３８による装着状態で撓ませるだけで済む。再度通常状態に復帰させたい場合、シートバックフレーム５ａの復帰に伴って自動的にゴム紐３８は僅かな緊張状態に縮んで復帰し、面ファスナ３６を再度周辺フレーム１１に単に取付けだけの通常のセット状態になる。また、サイドガード３０を使用しない場合には、面ファスナ３５、３６及びフック３９を外すことにより、容易に取外すことができる。保管は小さく畳んで行われる。
【００２０】
尚、前述の実施の形態において、袋部を廃止してゴム紐を立上がり辺部の上端に取付けることも可能であるが、ゴム紐の伸縮性を大きくする必要がある。また、立上がり辺部の面ファスナは、立上がり辺部をゴム紐により周辺フレーム１１に近接させて沿わせることにより廃止することもできる。
【００２１】
さらに、別の実施の形態として、単純な構造のサイドガードとしては、着座部に沿った底辺部、シートバックに沿った伸縮性の立上げ辺部及び伸縮性の斜辺部を有する三角形状の空間部に伸縮性のネット設けることにより、ゴム紐を廃止して構成することもできる。この場合、リクライニング或いはスタンドアップ時に、サイドガードは大きく伸びることになる。この際、底辺部及び立上げ辺部は、引張り力に対抗し得るように、着座部及びシートバックにフックにより係止する等別の取付け方法も考えることができる。
【００２２】
【発明の効果】
請求項１の発明によれば、リクライニング又はスタンドアップ時に自動的にシートバックの後倒に追従できるサイドガードが実現される。ネットの利用により、通風性も確保され、その撓みによりそのまま小物を保持させることができる。
請求項２の発明によれば、ネットが着脱自在に取付けられ、ネットであることにより保管も容易になる。
【００２３】
請求項３の発明によれば、ゴム紐が伸縮することによりネットを敢えて伸縮弾性にしなくても済む。その際、請求項４の発明によれば、ゴム紐が、所要の伸び量に対してゴム紐の単位長の伸び率を抑制することができる。請求項５の発明によれば、ゴム紐付きのネットが着脱自在に取付けられ、保管も容易である。
【図面の簡単な説明】
【図１】本発明の実施の形態による車椅子のサイドガードを備えた電動車椅子の側面図である。
【図２】同サイドガードの側面図である。
【図３】同車椅子にサイドガードをセットした状態での斜視図である。
【図４】同車椅子にサイドガードをセットしてスタンドアップさせた状態の側面図である。
【符号の説明】
４　着座部
５　シートバック
５ａ　シートバックフレーム
１０　シートバック本体
１７　スライドレール
３０　サイドガード
３０ａ　サイドガード本体
３１　底辺部
３２　立上がり辺部
３３　斜辺部
３４　ネット
３５，３６　面ファスナ
３７　袋部
３８　ゴム紐
３９　フック
【図１】
2004105243.tif 000003
【図２】
2004105243.tif 000004
【図３】
2004105243.tif 000005
【図４】
2004105243.tif 000006